(57)【要約】【課題】未使用時にスイッチを誤操作した場合でも、使用者の意に反してミスト噴射する事故の発生を防止可能なミスト式浴室暖房装置を提供する。【解決手段】ミスト・ノズル８への温水供給を断通するミスト発停弁１１、ミスト・ノズル８への温水の供給の開始又は停止の指示を入力する発停スイッチ７、発停スイッチ７がオンのときミスト発停弁１１を開弁し、発停スイッチ７がオフのときミスト発停弁１１を閉止するミスト発停弁制御部１９、及び外部リモコン装置から無線送信される装置作動信号を受信する受信部１５を備える。そして、ミスト発停弁制御部１９は、受信部１５で受信された装置作動信号が「作動状態」を示すとき以外は、発停スイッチ７のオン／オフにかかわらず常時前記ミスト発停弁１１を閉止する制御を行うようにする。これにより二重スイッチとなり誤操作によるミスト噴射事故の発生を未然に防止できる。【選択図】        図２
2005241179.tif 000002
【特許請求の範囲】
【請求項１】
温水管から供給される温水をミスト・ノズルから噴霧することにより、浴室内の暖房を行うミスト式浴室暖房装置であって、
ミスト・ノズルへの温水の供給を断通するミスト発停弁と、
ミスト・ノズルへの温水の供給の開始又は停止の指示を入力する発停スイッチと、
前記発停スイッチがオンのとき前記ミスト発停弁を開弁し、前記発停スイッチがオフのとき前記ミスト発停弁を閉止する制御を行うミスト発停弁制御部と、
外部のリモコン装置から送信される装置作動信号を受信する受信部と、
を備え、
前記ミスト発停弁制御部は、前記受信部で受信された装置作動信号が「作動状態」を示すとき以外は、前記発停スイッチのオン／オフにかかわらず常時前記ミスト発停弁を閉止する制御を行うことを特徴とするミスト式浴室暖房装置。
【請求項２】
温水管から供給される温水を浴室内に噴霧するミスト・ノズル、
ミスト・ノズルへの温水の供給を断通するミスト発停弁、
ミスト・ノズルへの温水の供給の開始又は停止の指示を入力する発停スイッチ、
及び外部のリモコン装置から送信される装置作動信号を受信する受信部、
を備えたミスト式浴室暖房装置の制御方法であって、
前記発停スイッチがオンのとき前記ミスト発停弁を開弁し、前記発停スイッチがオフのとき前記ミスト発停弁を閉止するとともに、
前記受信部で受信された装置作動信号が「作動状態」を示すとき以外は、前記発停スイッチのオン／オフにかかわらず常時前記ミスト発停弁を閉止する制御を行うことを特徴とするミスト式浴室暖房装置の制御方法。
【発明の詳細な説明】
【技術分野】
【０００１】
本発明は、浴室内に温水のミストを発生させることによって浴室内を暖房するミスト式浴室暖房装置に関するものであり、特に、使用時の利便性に優れ、かつ誤操作によるミスト噴霧を防止することができるミスト式浴室暖房装置に関する。
【背景技術】
【０００２】
浴室内に温水のミストを発生させ、浴室内を暖房するミスト式浴室暖房装置として、特許文献１〜４に記載のものが公知である。
【０００３】
図４は特許文献３に記載のミスト式浴室暖房装置の構成を表す図である。図４において、ミスト式浴室暖房装置１０１は浴室内の混合水栓１０２の近傍の壁に固定されている。混合水栓１０２は、給湯管１０３と給水管１０４からそれぞれ供給される温水と水を所定の割合で混合して、蛇口１０５から出水するものである。ミスト式浴室暖房装置１０１は、このうちの給湯管１０３に接続配管１０６によって接続されている。
【０００４】
ミスト式浴室暖房装置１０１は、上向きミスト・ノズル１０７及び下向きミスト・ノズル１０８を備えている。それぞれのミスト・ノズル１０７，１０８には、接続配管１０６から温水が供給される。供給された温水は、ミスト・ノズル１０７，１０８から温水ミストとして噴霧される。
【０００５】
また、ミスト式浴室暖房装置１０１内には、接続配管１０６からミスト・ノズル１０７，１０８への温水供給の断通を行うための電磁弁１０９が設けられている。この電磁弁１０９は、浴室外のリモコン１１０ａ又は浴室内のリモコン１１０ｂからの指示によって、制御回路１１１によって開閉制御される。リモコン装置１１０ａは、台所のように浴室の外部に設けられている。
【０００６】
上記特許文献１〜４の発明では、図４に示したように、ミスト式浴室暖房装置１０１を混合水栓１０２の近傍の壁に固定し、給湯管１０３に接続配管１０６によって直接接続する構成としたことで、余分な配管を不要としたことを特徴としている。
【特許文献１】特開平１０−１８５２２３号公報
【特許文献２】特開平１０−１８５２２４号公報
【特許文献３】特開平１０−１８５２２５号公報
【特許文献４】特開平１１−６３５４０号公報
【発明の開示】
【発明が解決しようとする課題】
【０００７】
ところで、上記従来のミスト式浴室暖房装置では、ミスト・ノズルからのミストの発停は、浴室内又は浴室外のリモコンの何れからも操作できるようになっている。この場合、浴室内でミスト式浴室暖房装置を使用している場合には、使用者は、ミストの噴霧を発停しようとした場合、一旦浴室から出る必要がない。また、浴室外のリモコンを使用してあらかじめ浴室を暖めておくことも可能であるため便利である。
【０００８】
しかしながら、ミスト式浴室暖房装置を使用していない時、例えば、浴室内を掃除している時にも、浴室内のリモコンのスイッチを押すことによって、ミスト式浴室暖房装置がミストの噴霧を開始する。従って、誤って浴室内のリモコンのスイッチを押すといった誤操作がされた場合、使用者の意に反してミストが噴射し、使用者が濡れてしまうといった事故が発生する可能性がある。特に、温水温度が高温に設定されていた場合には、使用者が火傷を負うといった事故が発生する可能性も考えられる。
【０００９】
そこで、本発明の目的は、使用者がミスト式浴室暖房装置を使用していない時に、浴室内のミスト式浴室暖房装置を誤操作した場合でも、使用者の意に反してミストが噴射する事故が生じることを防止することが可能なミスト式浴室暖房装置を提供することを目的とする。
【課題を解決するための手段】
【００１０】
本発明に係るミスト式浴室暖房装置は、温水管から供給される温水をミスト・ノズルから噴霧することにより、浴室内の暖房を行うミスト式浴室暖房装置であって、ミスト・ノズルへの温水の供給を断通するミスト発停弁と、ミスト・ノズルへの温水の供給の開始又は停止の指示を入力する発停スイッチと、前記発停スイッチがオンのとき前記ミスト発停弁を開弁し、前記発停スイッチがオフのとき前記ミスト発停弁を閉止する制御を行うミスト発停弁制御部と、外部のリモコン装置から送信される装置作動信号を受信する受信部と、を備え、前記ミスト発停弁制御部は、前記受信部で受信された装置作動信号が「作動状態」を示すとき以外は、前記発停スイッチのオン／オフにかかわらず常時前記ミスト発停弁を閉止する制御を行うことを特徴とする。
【００１１】
この構成により、リモコンにより装置作動信号が「作動状態」とされている時間帯以外に発停スイッチをオン状態としても、ミスト発停弁は開弁しない。従って、浴室の掃除中などに誤って発停スイッチに当たって発停スイッチがオン状態とされた場合でも、ミストの噴出はされない。これにより、発停スイッチの誤操作によるミストの噴出事故を未然に防止することが可能となる。
【００１２】
なお、本発明において発停スイッチはミスト式浴室暖房装置の本体に一体に組み込まれていても、浴室内に設置されたリモコンに組み込まれていてもよい。
【００１３】
本発明に係るミスト式浴室暖房装置の制御方法は、温水管から供給される温水を浴室内に噴霧するミスト・ノズル、ミスト・ノズルへの温水の供給を断通するミスト発停弁、ミスト・ノズルへの温水の供給の開始又は停止の指示を入力する発停スイッチ、及び外部のリモコン装置から送信される装置作動信号を受信する受信部、を備えたミスト式浴室暖房装置の制御方法であって、前記発停スイッチがオンのとき前記ミスト発停弁を開弁し、前記発停スイッチがオフのとき前記ミスト発停弁を閉止するとともに、前記受信部で受信された装置作動信号が「作動状態」を示すとき以外は、前記発停スイッチのオン／オフにかかわらず常時前記ミスト発停弁を閉止する制御を行うことを特徴とする。
【発明の効果】
【００１４】
以上のように、本発明によれば、ミスト式浴室暖房装置の制御を、リモコンにより装置作動信号が「作動状態」とされている時間帯以外に発停スイッチをオン状態としても、ミスト発停弁を開弁しないようにすることで、使用者がミスト式浴室暖房装置を使用していない時に浴室内のミスト式浴室暖房装置を誤操作した場合でも、使用者の意に反してミストが噴射する事故が生じることを防止することが可能となる。
【発明を実施するための最良の形態】
【００１５】
以下、本発明を実施するための最良の形態について、図面を参照しながら説明する。
【実施例１】
【００１６】
図１は本発明の実施例１に係るミスト式浴室暖房装置及びその周辺装置の構成を表す図である。ミスト式浴室暖房装置１を含む浴室乾燥・暖房システムは、ミスト式浴室暖房装置１、浴室暖房乾燥装置２、及び外部リモコン装置３の３つの部分から構成されている。
【００１７】
ミスト式浴室暖房装置１は、浴室内の混合水栓４の下部の壁に設置されている。そして、混合水栓４に温水を供給するための温水管４ａに、接続配管５によって直接接続されている。また、浴室暖房乾燥装置２は浴室上部の壁に設置されている。外部リモコン装置３は、浴室の外部に設置されている。浴室暖房乾燥装置２は、浴室の暖房乾燥を行う装置である。浴室暖房乾燥装置２とミスト式浴室暖房装置１とは、赤外線無線通信により制御信号の交信が可能である。また、浴室暖房乾燥装置２と外部リモコン装置３も赤外線無線通信により制御信号の交信が可能である。外部リモコン装置３から入力される操作指示は、浴室暖房乾燥装置２を介してミスト式浴室暖房装置１に伝達される。なお、本実施例では、ミスト式浴室暖房装置１、浴室暖房乾燥装置２、及び外部リモコン装置３の間の通信は無線通信としているが、これは有線通信であってもよい。
【００１８】
ミスト式浴室暖房装置１の表面パネル６には、温水管から供給される温水を浴室内に噴霧するミスト・ノズル８への温水の供給の開始／停止の指示を入力する発停スイッチ７が設けられている。なお、本実施例では発停スイッチ７は表面パネル６上に設けているが、この発停スイッチ７は、浴室内に設置される浴室内リモコン（図示せず）に設けてもよい。
【００１９】
図２は図１のミスト式浴室暖房装置の構成を表すブロック図である。なお、図２は、ミスト式浴室暖房装置１の機能構成を表したものであり、抽象化して記載している。
【００２０】
ミスト式浴室暖房装置１の配管系１０は、上記接続配管５に接続されたミスト発停弁１１、ミスト発停弁１１から上記ミスト・ノズル８に温水を供給するＵ字型の配水管１２、及び９個のミスト・ノズル８から構成されている。ミスト発停弁は、各ミスト・ノズル８への温水の供給を断通する電磁弁である。
【００２１】
一方、ミスト式浴室暖房装置１の制御系１３は、発停スイッチ７、赤外線受光器１４、受信部１５、受信タイマ１６、装置作動判定部１７、電源制御部１８、及びミスト発停弁制御部１９を備えている。なお、発停スイッチ７は図１と同様のものである。
【００２２】
赤外線受光器１４は、浴室暖房乾燥装置２から送信される赤外線制御信号を受光する。受信部１５は、浴室暖房乾燥装置２を介して外部リモコン装置３から無線送信される装置作動信号を、赤外線受光器１４により受信する。装置作動判定部１７は、受信部１５が受信する装置作動信号に従って、ミスト式浴室暖房装置１の作動状態又は停止状態を指示するための作動信号を出力する。受信タイマ１６は、受信部１５及び赤外線受光器１４が一定間隔で装置作動信号を受信するように制御する。電源制御部１８は、上記作動信号が「作動状態」を示すときは、ミスト式浴室暖房装置１をウェイクアップ状態（電源電圧を高めた状態）とし、「停止状態」を示すときは、ミスト式浴室暖房装置１をスリープ状態（電源電圧を低めて低消費電力とした状態）とする制御を行う。
【００２３】
ミスト発停弁制御部１９は、発停スイッチ７がオンのときミスト発停弁１１を開弁状態とし、発停スイッチ７がオフのときミスト発停弁１１を閉止状態する制御を行う。また、ミスト発停弁制御部１９は、上記作動信号が「作動状態」を示すとき以外は、発停スイッチ７のオン／オフにかかわらず常時前記ミスト発停弁１１を閉止する制御を行う。
【００２４】
以上のように構成された本実施例に係るミスト式浴室暖房装置１について、以下その動作を説明する。図３はミスト式浴室暖房装置１の制御動作を表すフローチャートである。
【００２５】
まず、外部リモコン装置３から、ミスト式浴室暖房装置１を作動状態とする指示が入力されると、その指示信号（装置作動信号）は、赤外線無線通信によって浴室暖房乾燥装置２を介してミスト式浴室暖房装置１に伝達される。ミスト式浴室暖房装置１の受信部１５は、赤外線受光器１４からこの装置作動信号を受信し、装置作動判定部１７に出力する（Ｓ１）。
【００２６】
装置作動判定部１７は、装置作動信号を検査する（Ｓ２）。これが「停止状態」を示すときは、装置作動判定部１７は、作動信号を「停止状態」のまま維持し、再びステップＳ１に戻る。
【００２７】
一方、ステップＳ２において、受信された装置作動信号が「作動状態」を示すときは、装置作動判定部１７は、作動信号を「作動状態」とする。作動信号が「作動状態」となると、電源制御部１８は、電源電圧を上昇させて、ミスト式浴室暖房装置１をウェイクアップ状態にする（Ｓ３）。また、ミスト発停弁制御部１９は、ミスト発停弁１１を開弁する（Ｓ４）。これにより、ミスト・ノズル８から温水ミストが浴室内に噴霧される。
【００２８】
次に、ミスト式浴室暖房装置１の受信部１５は、赤外線受光器１４からこの装置作動信号を受信し、装置作動判定部１７に出力する（Ｓ５）。そして、再び装置作動判定部１７は、装置作動信号を検査する（Ｓ６）。これが「停止状態」を示すときは、装置作動判定部１７は、作動信号を「停止状態」とする。これにより、ミスト発停弁制御部１９は、ミスト発停弁１１を閉止し（Ｓ７）、電源制御部１８は電源電圧を降下させてスリープ状態とし（Ｓ８）、ステップＳ１に戻る。
【００２９】
一方、ステップＳ６において、受信された装置作動信号が「作動状態」を示す場合、ミスト発停弁制御部１９は、発停スイッチ７からの入力を検査する（Ｓ９）。ここで、発停スイッチ７がオン状態を示す場合、ミスト発停弁制御部１９は、ミスト発停弁１１を開弁状態とする（Ｓ１０）。これにより、ミスト・ノズル８から温水ミストが浴室内に噴霧される。
【００３０】
一方、ステップＳ９で発停スイッチ７がオフ状態を示す場合、ミスト発停弁制御部１９は、ミスト発停弁１１を閉止状態とする（Ｓ１１）。これにより、ミスト・ノズル８からの温水ミストの噴霧は停止される。
【００３１】
そして、ステップＳ５の動作に戻る。
【００３２】
以上のような動作により、ミスト式浴室暖房装置１に設けられた発停スイッチ７による発停操作は、外部リモコン装置３によりミスト式浴室暖房装置１が「作動状態」に設定されている時以外は無効となる。従って、外部リモコン装置３からミスト式浴室暖房装置１を停止状態としておけば、発停スイッチ７を誤って押した場合でも、使用者の意に反してミスト・ノズル８から温水ミストが噴霧されることを防止することができる。
【００３３】
なお、外部リモコン装置３からミスト式浴室暖房装置１を「作動状態」に設定する操作は、使用者が手動で行うようにしてもよいが、外部リモコン装置３に一定の使用時間帯をタイマーで設定しておいてその時間帯だけ自動的に「作動状態」に設定するようにしてもよい。
【図面の簡単な説明】
【００３４】
【図１】本発明の実施例１に係るミスト式浴室暖房装置及びその周辺装置の構成を表す図である。
【図２】図１のミスト式浴室暖房装置の構成を表すブロック図である。
【図３】ミスト式浴室暖房装置１の制御動作を表すフローチャートである。
【図４】特許文献３に記載のミスト式浴室暖房装置の構成を表す図である。
【符号の説明】
【００３５】
１  ミスト式浴室暖房装置
２  浴室暖房乾燥装置
３  外部リモコン装置
４  混合水栓
４ａ  温水管
５  接続配管
６  表面パネル
７  発停スイッチ
８  ミスト・ノズル
１０  ミスト式浴室暖房装置１の配管系
１１  ミスト発停弁
１２  配水管
１３  ミスト式浴室暖房装置１の制御系
１４  赤外線受光器
１５  受信部
１６  受信タイマ
１７  装置作動判定部
１８  電源制御部
１９  ミスト発停弁制御部
【図１】
2005241179.tif 000003
【図２】
2005241179.tif 000004
【図３】
2005241179.tif 000005
【図４】
2005241179.tif 000006